(57)【要約】【課題】古紙の計量が簡易かつ正確であり、さらに、コストを抑えた小型古紙再生装置における古紙計量装置を提供する。【解決手段】古紙パルプ製造工程と古紙パルプを抄紙する抄紙工程を有する小型古紙再生装置において使用する古紙計量装置であって、古紙を収容する内収容部材９と、該部材を収容する外収容部材８と、内収容部材と古紙を載置する受皿10と、内収容部材と固定されたガイド部材11と、古紙の重量を検知し受皿とシャフト14を固定したロードセル13からなり、受皿及びロードセルの下降傾斜時に、ガイド部材に設けた溝部と外収容部材の上端が係合することにより内収容部材とガイド部材の下降が停止し、受皿及びロードセルの上昇傾斜時に、受皿が内収容部材及び／又はガイド部材を持ち上げることを特徴とする小型古紙再生装置における古紙計量装置。【選択図】  図２
2014025177.tif 000002
【特許請求の範囲】
【請求項１】
古紙パルプ製造工程と古紙パルプを抄紙する抄紙工程を有する小型古紙再生装置において使用する古紙計量装置であって、古紙を収容する内収容部材と、内収容部材を収容する外収容部材と、内収容部材と古紙を載置する受皿と、内収容部材と固定されたガイド部材と、古紙の重量を検知し受皿とシャフトを固定したロードセルからなり、受皿及びロードセルの下降傾斜時に、ガイド部材に設けた溝部と外収容部材の上端が係合することにより内収容部材とガイド部材の下降が停止し、受皿及びロードセルの上昇傾斜時に、受皿が内収容部材及び／又はガイド部材を持ち上げることを特徴とする小型古紙再生装置における古紙計量装置。
【請求項２】
古紙パルプ製造工程と古紙パルプを抄紙する抄紙工程を有する小型古紙再生装置において使用する古紙計量装置であって、古紙を収容する内収容部材と、内収容部材を収容する外収容部材と、内収容部材と古紙を載置する受皿と、内収容部材と固定されたガイド部材と、古紙の重量を検知し受皿とシャフトを固定したロードセルからなり、受皿及びロードセルの下降傾斜時に、ガイド部材に設けた突部と外収容部材の溝部が係合することにより下降傾斜が停止し、受皿及びロードセルの上昇傾斜時に、受皿が内収容部材及び／又はガイド部材を持ち上げることを特徴とする小型古紙再生装置における古紙計量装置。
【請求項３】
受皿に載置される古紙が所定重量になると受皿及びロードセルが下降傾斜することを特徴とする請求項１または２記載の小型古紙再生装置における古紙計量装置。
【請求項４】
。
ロードセルでの所定重量検知は、受皿に載置した古紙と内収容部材と内収容部材に固定されたガイド部材と固定具の総重量であることを特徴とする請求項１または２記載の小型古紙再装置における古紙計量装置。
【請求項５】
受皿に内収容部材と古紙の他にガイド部材を載置することを特徴とする請求項１または２記載の小型古紙再生装置における古紙計量装置。
【発明の詳細な説明】
【技術分野】
【０００１】
本発明は、小型古紙再生装置における古紙計量装置に関するものである。
【背景技術】
【０００２】
古新聞紙や文章の細断屑のリサイクルは、ごみを減量化し、焼却や埋立てなどの廃棄物処理による環境負荷を低減することができ、資源の有効利用につながる。また、パルプの需要は今後世界的に高まることが予想されているが、植林などを進めてもパルプの供給には限りがある。森林資源への過度な需要圧力を緩和するためにも、資源としての古紙の役割はますます重要になっている。
【０００３】
古新聞紙や文章の細断屑の再利用方法として、新聞紙や文章の細断屑をリサイクル専門業者に引き取ってもらい再利用することが考えられるが、費用や手間がかかり現状としては、焼却ごみとして廃棄することが多い。
【０００４】
特許文献１には、文章の細断屑の再生を企業、官庁、組合、団地などの組織単位で行うことができる比較的に小型の文書細断屑用古紙再生装置が開示されている。文書細断屑用古紙再生装置とは、少なくとも古紙再生パルプ製造部と再生紙を製造・調整する抄紙部を一体的に備えたものである。尚、古紙パルプの製造に関しては、ホッパー装置に供給された文書細断屑が、文書細断屑計量機構に送られ、所定の重量が計測された後、パルパー装置内で水などと混合攪拌することで、再生パルプ懸濁液を製造している。
【先行技術文献】
【特許文献】
【０００５】
【特許文献１】特開２００９−２８０９２６号公報
【発明の概要】
【発明が解決しようとする課題】
【０００６】
上記特許文献１において、古紙の重量を計測する計量機構の構造が複雑であり、従って、コストがかかるという欠点があった。
【課題を解決するための手段】
【０００７】
そこで本発明は、古紙の計量が簡易かつ正確であり、さらに、コストを抑えた小型古紙再生装置における古紙計量装置を開発・提供することにある。
【発明の効果】
【０００８】
受皿及びロードセルの下降傾斜時に、ガイド部材に設けた溝部と外収容部材の上端が係合することにより内収容部材とガイド部材の下降が停止し、受皿及びロードセルの上昇傾斜時に、受皿が内収容部材及び／又はガイド部材を持ち上げることで受皿に載置された古紙の計量を簡易かつ正確に行うことができる。また、部品数も少ないためコスト面を考慮しても有益である。
【図面の簡単な説明】
【０００９】
【図１】本発明の一実施例を示し、古紙パルプ製造工程の概略図である。
【図２】本発明の古紙再生装置における古紙計量装置のａ−ａ断面図である。
【図３】図２の受皿とロードセルが傾斜した状態の断面図である。
【図４】本発明の一実施例を示し、古紙計量装置の断面図である。
【図５】本発明の一実施例を示す古紙計量装置の斜視図である。
【図６】本発明の他の実施例を示す古紙計量装置の斜視図である。
【発明を実施するための形態】
【００１０】
本発明は、古紙のリサイクルと資源環境の保護はもとより、情報漏洩防止のため、事業所等の古紙発生場所にて、処理、再生を行い、例えば、トイレットペーパー等の再生紙を製造することのできる小型古紙再生装置である。図１に例示するように古紙パルプ製造工程（１）は、少なくとも細片化された古紙の貯留部（６）と、貯留部（６）から供給される古紙を計量する古紙計量装置（２）を有する古紙計量部と、古紙計量部から供給される古紙を離解及び／又は叩解して古紙パルプにする離解・叩解部（３）からなる。
【００１１】
本発明である古紙パルプ製造工程（１）の一実施例を図１に基づいて説明すると、小型古紙再生装置内に供給された細断屑（シュレッダーにより細片化されたコピー用紙のみが好ましい）は、古紙貯留部（６）に供給され、その後、ベルトコンベヤ（７）等の移送手段により古紙計量装置（２）内に供給される。古紙計量装置（２）内の細断屑は所定重量になると離解・叩解部（３）の水槽（Ｗ）の開口部から水槽（Ｗ）内に供給される。
【００１２】
新聞古紙（４）は、小型古紙再生装置内の新聞切断部（５）によって細片化された後、古紙計量部へ供給され、古紙計量装置（２）により所定重量にされる。所定重量になった新聞古紙は、離解・叩解部（３）の水槽（Ｗ）の開口部から水槽（Ｗ）内に供給される。
【００１３】
尚、新聞古紙用の古紙貯留部を設けることや、分類した古紙をそれぞれ貯留するための古紙貯留部を複数設けてもよい。
【００１４】
小型古紙再生装置内で複数に分類した細断屑（ここでは、一例としてシュレッダーにより細片化されたコピー用紙と細片化された新聞古紙及びの２種類）を別々に計量して所定重量とし、離解・叩解部（３）へ定量供給することにより、所定重量で配合された複数の材料からなる古紙パルプの製造が可能となる。
【００１５】
古紙計量装置（２）は、古紙を収容する内収容部材（９）と、内収容部材（９）を収容する外収容部材（８）と、内収容部材（９）と古紙を載置する受皿（１０）と、古紙の重量を検知し受皿（１０）とシャフトを固定したロードセル（１３）と、内収容部材（９）と固定されたガイド部材（１１）からなる。シャフト（１４）の回転は、図１に例示するようにモータ（１５）とギア（１６）、（１７）を使用する構造が好ましい。内収容部材（９）とガイド部材（１１）の固定は、ネジでの締結が好ましいが、溶接や一体成型でもよい。また、図４に例示するように受皿（１０）は、内収容部材（９）と古紙の他にガイド部材（１１）も載置する構造でもよい。
【００１６】
細片化された古紙が内収容部材（９）に入り、受皿（１０）に載置され、ロードセル（１３）があらかじめ設定した所定重量を検知すると、モータ（１５）の駆動により、ロードセル（１３）、受皿（１０）、シャフト（１４）が同時に回転する。ロードセル（１３）で検知する所定重量とは、古紙載置状態での重量（内収容部材（９）、ガイド部材（１１）、固定具、古紙の総重量）と古紙未載置状態での重量（内収容部材（９）、ガイド部材（１１）、固定具の総重量）との差である。
【００１７】
図２に例示するように、ロードセル（１３）と受皿（１０）は、所定重量を検知すると水平状態から図３に例示するように下降傾斜する。ロードセル（１３）と受皿（１０）の下降傾斜により受皿（１０）に載置された古紙が離解・叩解部（３）の水槽Ｗへと供給される。この時、内収容部材（９）は、内部収容部材（９）に係合したガイド部材（１１）が外収容部材（８）の上端又は溝部（１８）に係合するまで下降する。上記操作を複数回繰り返すことで、複数に分類された古紙の計量及び離解・叩解部への供給が個別で可能となり、任意の重量割合で配合された古紙パルプの製造が可能となる。
【００１８】
古紙を水槽（Ｗ）に供給した後、ロードセル（１３）と受皿（１０）は、図３に例示するように上昇傾斜する。ロードセル（１３）と受皿（１０）の上昇傾斜により内収容部材（９）及び／又はガイド部材（１１）を持ち上げ、再び図２に例示するような水平状態に戻る。再度、受皿（１０）に古紙が載置され、古紙計量装置（２）が所定重量を検知すると水平状態から図３に例示するように下降傾斜する。
【００１９】
以上の構造により、簡易で正確な古紙の計量及び離解・叩解部（３）への定量供給が可能となる。
【００２０】
ガイド部材（１１）は、凹状の溝部（１２）が形成されている。受皿（１０）とロードセル（１３）が傾斜すると内収容部材（９）と内収容部材（９）に固定したガイド部材（１１）が下降する。図３に例示するように、受皿（１０）及びロードセル（１３）の下降傾斜時に、ガイド部材（１１）に設けた溝部（１２）と外収容部材（８）の上端が係合することにより内収容部材（９）とガイド部位材（１１）の下降が停止する。
【００２１】
また、別の形態として図６に例示するように、ガイド部材（１１）に設けた凸状の突部（１９）と外収容部材（８）に設けた凹状の溝部（１８）が係合することにより、内収容部材（９）とガイド部材（１１）の下降を停止してもよい。ガイド部材（１１）は、１ないし複数設けてもよいが、図５、６に例示するように２箇所に設けることが好ましい。
【００２２】
離解・叩解部（３）は、上記水槽Ｗと上部が開口した円筒状のケーシングである離解・叩解装置（２０）からなり、離解・叩解装置（２０）の内部に所定重量になった細断屑を離解する離解刃、叩解する叩解刃、底部に回転板を設けている。離解・叩解装置（２０）供給された細断屑は、モータ等の回転源により、底部の回転板が回転し、離解刃、叩解刃により離解、叩解されて古紙パルプ懸濁液となる。古紙パルプ懸濁液は抄紙工程で抄紙されて再生紙となる。
【産業上の利用可能性】
【００２３】
本発明は、小型古紙再生装置のおける古紙計量装置（２）の技術を確立し、その確立された技術に基づいて装置を実施・販売することにより、産業上の利用可能性がある。
【符号の説明】
【００２４】
１  古紙パルプ製造工程
２  古紙計量装置
３  離解・叩解部
４  新聞古紙
５  新聞切断部
６  古紙貯留部
７  ベルトコンベヤ
８  外収容部材
９  内収容部材
１０  受皿
１１  ガイド部材
１２  溝部
１３  ロードセル
１４  シャフト
１５  モータ
１６  ギア
１７  ギア
１８  溝部
１９  突部
２０  離解・叩解装置
Ｗ  水槽
【図１】
2014025177.tif 000003
【図２】
2014025177.tif 000004
【図３】
2014025177.tif 000005
【図４】
2014025177.tif 000006
【図５】
2014025177.tif 000007
【図６】
2014025177.tif 000008